(57)【要約】【課題】手差しトレー等において、用紙切れを紙詰まりと誤検出することを防止する技術を提供する。【解決手段】  画像形成装置１００であって、複数の用紙が載置される手差しトレー１０１と、用紙を手差しトレー１０１から搬送する用紙搬送部１０３と、前記手差しトレーに設けられた、前記手差しトレー上に載置された用紙の搬送方向の長さを検出する用紙長検出部２０１と、画像形成装置１００を制御する制御部１１０とを備える。制御部１００は、用紙搬送部１０３による用紙の搬送中に、用紙長検出部２０１の検出結果が変化すると、後続用紙の搬送開始を予め定められた時間遅延させる。【選択図】図４
2020033131.tif 000002
【特許請求の範囲】
【請求項１】
画像形成装置であって、
複数の用紙が載置される手差しトレーと、
用紙を前記手差しトレーから搬送する用紙搬送部と、
前記手差しトレーに設けられた、前記手差しトレー上に載置された用紙の搬送方向の長さを検出する用紙長検出部と、
前記画像形成装置を制御する制御部とを備え、
前記制御部は、前記用紙搬送部による用紙の搬送中に、前記用紙長検出部の検出結果が変化すると、後続用紙の搬送開始を予め定められた時間遅延させる、画像形成装置。
【請求項２】
用紙の搬送経路に沿って配置され、前記手差しトレーにセットされた用紙の有無を検出するエンプティ検出部をさらに備え、
前記遅延により、前記エンプティ検出部が用紙の有無を検出するよりも後に後続用紙の搬送が開始される、請求項１に記載の画像形成装置。
【請求項３】
使用者に情報を表示する表示部をさらに備え、
前記制御部は、前記用紙長検出部の検出結果に基づいて、給紙動作途中に前記手差しトレーの用紙が無くなったと判定した場合、前記エンプティ検出部の検出結果に関わらず、前記表示部に用紙切れの情報を表示する、請求項２に記載の画像形成装置。
【請求項４】
使用者に情報を表示する表示部をさらに備え、
前記制御部は、給紙動作途中に前記用紙長検出部の検出結果が変化し、かつ、前記エンプティ検出部が用紙切れを検出した場合、前記表示部に用紙切れの情報を表示する、請求項２に記載の画像形成装置。
【請求項５】
用紙の搬送方向に対する横幅を検出する用紙幅検出部をさらに備え、
前記制御部は、前記用紙長検出部と前記用紙幅検出部との各検出結果に基づいて用紙サイズを判定する、請求項１〜４のいずれか１項に記載の画像形成装置。
【請求項６】
前記制御部は、前記用紙長検出部と前記用紙幅検出部の検出結果に基づいて、前記予め定められた時間を調整する、請求項５に記載の画像形成装置。
【請求項７】
使用者からの入力を受け付ける操作部をさらに備え、
前記制御部は、前記操作部により用紙サイズが入力された場合は、前記用紙長検出部及び前記用紙幅検出部の各検出結果に関わらず、入力された用紙サイズに基づいて、前記予め定められた時間を調整する、請求項６に記載の画像形成装置。
【請求項８】
前記用紙長検出部は、前記手差しトレーにセットされる用紙の下側に配置される、請求項１〜７のいずれか１項に記載の画像形成装置。
【請求項９】
前記用紙長検出部は、透過型センサーと前記透過型センサーの遮光パーツとを含む、請求項１〜８のいずれか１項に記載の画像形成装置。
【請求項１０】
手差しトレー上の搬送可能な位置に載置された用紙を検出するステップと、
前記手差しトレーからローラーを介して用紙を搬送するステップと、
前記ローラーを介して搬送される用紙の後続用紙の有無を検知するステップと、
前記ローラーを介した用紙の搬送中に、手差しトレー上の搬送可能な位置に載置された用紙の搬送方向の長さが検出できなくなった場合、前記ローラーの後続用紙を搬送するための駆動を予め定められた時間遅延させるステップとを含む、
画像形成装置における制御方法。
【請求項１１】
後続用紙の有無の検出の後に前記ローラーの駆動を再開するステップをさらに含む、請求項１０に記載の制御方法。
【請求項１２】
前記ローラーを介した用紙の搬送中に、手差しトレー上の搬送可能な位置に載置された用紙の搬送方向の長さが検出できなくなった場合、後続用紙の有無の検出によらず、用紙切れの情報を表示するステップをさらに含む、請求項１１に記載の制御方法。
【請求項１３】
前記ローラーを介した用紙の搬送中に、手差しトレー上の搬送可能な位置に載置された用紙の搬送方向の長さが検出できなくなり、かつ、後続用紙切れが検出された場合、用紙切れの情報を表示するステップをさらに含む、請求項１１に記載の制御方法。
【発明の詳細な説明】
【技術分野】
【０００１】
本開示は、画像形成装置に関し、より特定的には、画像形成装置における用紙の搬送制御に関する。
【背景技術】
【０００２】
プリンターや複合機等の画像形成装置の種類として、現像用にトナーを使用するものがある。これらのトナーを使用する画像形成装置は、被転写媒体である用紙に対し、感光体を用いて直接的または間接的に現像用のトナーの転写を行い、さらに、定着ローラーで用紙に転写されたトナーを定着させることが一般的である。
【０００３】
近年、画像形成装置の清音化、高速化や多くのメディアへの対応が進むことにより、給紙部からの給紙の高い信頼性が求められるようになっている。また、利便性を上げるために、給紙が中断した場合における、使用者への給紙の中断原因の正確な提示も求められている。すなわち、用紙切れや紙詰まり等の原因を使用者に提示することで、給紙の中断原因を特定し、容易に正常な状態に復旧可能にすることが望ましい。
【０００４】
例えば、特開２００２−６００９２号公報（特許文献１）は、「複数枚の用紙を積載収容する用紙収容手段と、この用紙収容手段から用紙を給紙開始信号に基づいて１枚ずつ送り出して給紙先に給紙する給紙機構と、この給紙機構により用紙収容手段から送り出される用紙の通過の有無を検知する紙詰まり検知手段と、用紙収容手段に収容されている最上の用紙面に揺動可能に触れる揺動部材の変動により当該収容手段内の用紙の有無を検知する紙なし検知手段と、所要の情報を表示する表示手段と、給紙機構、紙詰まり検知手段および紙なし検知手段を制御するとともにその各検知手段からの検知情報に基づいて紙詰まり又は紙なしであるかを判断して表示手段にその判断結果を表示させる制御手段とを有する給紙装置を前提とし、制御手段は、紙詰まり検知手段からの検知情報により紙詰まりであると判断した後、その判断結果の表示手段への表示を所定時間が経過するまで保留し、その保留中において紙なし検知手段からの検知情報により紙なしであると判断した場合にはその判断結果の表示手段への表示を優先して実行するように設定されている」給紙装置を開示している（段落［０００９］）。
【先行技術文献】
【特許文献】
【０００５】
【特許文献１】特開２００２−６００９２号公報
【発明の概要】
【発明が解決しようとする課題】
【０００６】
特許文献１に開示された技術によると、給紙カセット等の、紙無し検知センサーを給紙機構からある程度上流に配置できる構成に限っては、紙切れを紙詰まりと誤検出してしまうことをある程度防ぐことが可能となる。
【０００７】
しかし、手差しトレーのような構成においては、前記手差しトレー上に載置された用紙の搬送方向の長さを検出するセンサー（以下、「ＦＤ（Feed Dimension）検出センサー」という）、および、トレーに用紙が積載されているか否かを検出するセンサー（以下、「エンプティ検出センサー」という）の両方を設置する必要があり、構成上、エンプティ検出センサーは給紙機構の付近に配置する必要がある。そのため、給紙間隔が短くなる高速給紙が求められる用途においては、搬送される用紙と後続用紙との間隔が非常に短いため、エンプティ検出センサーの検出が間に合わずに、用紙切れを紙詰まりと誤検出してしまうことがある。したがって、手差しトレーにも適用可能な紙詰まりの誤検出防止の技術が必要とされている。
【０００８】
本開示は、上記のような背景に鑑みてなされたものであって、ある局面における目的は、手差しトレー等の給紙機構において、用紙切れを紙詰まりと誤検出することを防止する技術を提供することにある。
【課題を解決するための手段】
【０００９】
ある局面に従う画像形成装置は、複数の用紙が載置される手差しトレーと、用紙を手差しトレーから搬送する用紙搬送部と、手差しトレーに設けられた、前記手差しトレー上に載置された用紙の搬送方向の長さを検出する用紙長検出部と、画像形成装置を制御する制御部とを備える。制御部は、用紙搬送部による用紙の搬送中に、用紙長検出部の検出結果が変化すると、後続用紙の搬送開始を予め定められた時間遅延させる。
【００１０】
ある局面において、画像形成装置は、用紙の搬送経路に沿って配置され、手差しトレーにセットされた用紙の有無を検出するエンプティ検出部をさらに備える。後続用紙の搬送開始の遅延により、エンプティ検出部が用紙の有無を検出するよりも後に後続用紙の搬送が開始される。
【００１１】
ある局面において、画像形成装置は、使用者に情報を表示する表示部をさらに備える。制御部は、用紙長検出部の検出結果に基づいて、給紙動作途中に手差しトレーの用紙が無くなったと判定した場合、エンプティ検出部の検出結果に関わらず、表示部に用紙切れの情報を表示する。
【００１２】
ある局面において、画像形成装置は、使用者に情報を表示する表示部をさらに備える。制御部は、給紙動作途中に用紙長検出部の検出結果が変化し、かつ、エンプティ検出部が用紙切れを検出した場合、表示部に用紙切れの情報を表示する。
【００１３】
ある局面において、画像形成装置は、用紙の搬送方向に対する横幅を検出する用紙幅検出部をさらに備える。制御部は、用紙長検出部と用紙幅検出部との各検出結果に基づいて用紙サイズを判定する。
【００１４】
ある局面において、制御部は、用紙長検出部と用紙幅検出部のそれぞれの検出結果に基づいて、予め定められた時間を調整する。
【００１５】
ある局面において、画像形成装置は、使用者からの入力を受け付ける操作部をさらに備える。制御部は、操作部により用紙サイズが入力された場合は、用紙長検出部及び用紙幅検出部の各検出結果に関わらず、入力された用紙サイズに基づいて、予め定められた時間を調整する。
【００１６】
ある局面において、用紙長検出部は、手差しトレーにセットされる用紙の下側に配置される。
【００１７】
ある局面において、用紙長検出部は、透過型センサーと、透過型センサーの遮光パーツとを含む。
【００１８】
他の実施の形態に従うと、画像形成装置における制御方法が提供される。この制御方法は、手差しトレー上の搬送可能な位置に載置された用紙を検出するステップと、手差しトレーからローラーを介して用紙を搬送するステップと、ローラーを介して搬送される用紙の後続用紙の有無を検知するステップと、ローラーを介した用紙の搬送中に、手差しトレー上の搬送可能な位置に載置された用紙の搬送方向の長さが検出できなくなった場合、ローラーの後続用紙を搬送するための駆動を予め定められた時間遅延させるステップとを含む。
【００１９】
ある局面において、当該制御方法は、遅延により、後続用紙の有無の検出が行われる後にローラーの駆動が再開されるステップをさらに含む。
【００２０】
ある局面において、当該制御方法は、ローラーを介した用紙の搬送中に、手差しトレー上の搬送可能な位置に載置された用紙の搬送方向の長さが検出できなくなった場合、後続用紙の有無の検出によらず、用紙切れの情報を表示するステップをさらに含む。
【００２１】
ある局面において、当該制御方法は、ローラーを介した用紙の搬送中に、手差しトレー上の搬送可能な位置に載置された用紙の搬送方向の長さが検出できなくなり、かつ、後続用紙切れが検出された場合に用紙切れの情報を表示するステップをさらに含む。
【発明の効果】
【００２２】
本技術によれば、手差しトレー等の給紙機構において、用紙切れを紙詰まりと誤検出することを防止することが可能である。
【００２３】
この発明の上記および他の目的、特徴、局面および利点は、添付の図面と関連して理解されるこの発明に関する次の詳細な説明から明らかとなるであろう。
【図面の簡単な説明】
【００２４】
【図１】本実施の形態に従う画像形成装置１００の一構成例を示す構成図である。
【図２】本実施の形態に従う画像形成装置１００の手差しトレー１０１の一構成例を示す構成図である。
【図３】本実施の形態に従う画像形成装置１００のＦＤ検出センサー２０１の一構成例を示す構成図である。
【図４】用紙の各搬送段階におけるセンサーおよびローラーの動作を示す図である。
【図５】図４の段階Ａにおける用紙の搬送状況を示す図である。
【図６】図４の段階Ｂにおける用紙の搬送状況を示す図である。
【図７】図４の段階Ｃにおける用紙の搬送状況を示す図である。
【図８】図４の段階Ｄにおける用紙の搬送状況を示す図である。
【図９】図４の段階Ｅにおける用紙の搬送状況を示す図である。
【図１０】図４の段階Ｆにおける用紙の搬送状況を示す図である。
【図１１】本実施の形態に従う搬送遅延制御を示すフローチャートである。
【図１２】本実施の形態に従う用紙切れと紙詰まりの誤判断を防止する処理を示すフローチャートである。
【発明を実施するための形態】
【００２５】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。
【００２６】
［第１の実施の形態］
＜Ａ．画像形成装置１００の装置構成＞
まず、本実施の形態に従う画像形成装置１００の装置構成について説明する。典型例として、複合機（ＭＦＰ：Multi-Functional Peripheral）として実装されるカラー画像形成装置である画像形成装置１００について説明するが、本実施の形態に係る技術思想は、カラー画像形成装置に限定されるわけではなく、モノクロ画像形成装置にも適用可能である。
【００２７】
図１は、本実施の形態に従う画像形成装置１００の一構成例を示す図である。図１を参照して、画像形成装置１００は、手差しトレー１０１と、給紙カセット１０２と、給紙ローラー１０３と、レジストローラー１０４と、イメージングユニット１０５と、中間転写ベルト１０６と、転写ローラー１０７と、定着部１０８と、排出トレー１０９と、制御部１１０とを含む。
【００２８】
イメージングユニット１０５は、感光体と、帯電部と、露光部と、現像部とを備える。イメージングユニット１０５は、シアン（Ｃ）、マゼンダ（Ｍ）、イエロー（Ｙ）、ブラック（Ｋ）のそれぞれのトナー像を生成するための複数のイメージングユニットを含む。
【００２９】
本実施の形態に従う画像形成装置１００は、一例として、それぞれのイメージングユニット１０５が生成したトナー像を、中間転写ベルト１０６を介して被転写部材に転写する構成を採用する。なお、図１では、トナー像を中間転写ベルト１０６に一旦転写した後、被転写部材に転写する構成について例示するが、感光体上のトナー像を被転写部材に直接転写する構成が採用されてもよい。
【００３０】
用紙は手差しトレー１０１もしくは給紙カセット１０２のいずれかに載置される。給紙ローラー１０３は手差しトレー１０１もしくは給紙カセット１０２に載置された用紙を１枚ずつ、用紙搬送経路に搬送する。レジストローラー１０４は、給紙ローラー１０３によって搬送された用紙をさらに下流に搬送する。転写ローラー１０７は、搬送されてきた用紙に中間転写ベルト１０６上の転写像を転写する。定着部１０８は、用紙の表面に転写されたトナーを溶かして用紙に定着させる。定着処理まで完了した用紙は排出トレー１０９に排出される。制御部１１０は、画像形成装置１００の全体の動作を制御する。
【００３１】
＜Ｂ．手差しトレー１０１の構成＞
図２は、本実施の形態に従う画像形成装置１００の手差しトレー１０１の一構成例を示す図である。図２を参照して、手差しトレー１０１は、ＦＤ検出センサー２０１と、用紙幅検出センサー２０２と、押上げ板２０３と、エンプティ検出センサー２０４と、重送防止部材２０５とを備える。
【００３２】
ＦＤ検出センサー２０１は、用紙の下側に来るように手差しトレー１０１に配置され、用紙の重みで沈み込むように構成された突起部分を含む。突起部分は、手差しトレー上に載置された用紙の重みで沈み込む。用紙幅検出センサー２０２は、挟み込んだ用紙の横幅を検出する。制御部１１０は、用紙幅検出センサー２０２およびＦＤ検出センサー２０１のそれぞれの検出結果から、Ａ４、Ａ３などの規格の用紙サイズを自動判別する。また、ＦＤ検出センサー２０１は用紙が適切な位置に置かれているか否かも検出する。
【００３３】
押上げ板２０３は、支点Ｚを中心に回転し、手差しトレー１０１に載置された用紙の先端を給紙ローラー１０３に触れる位置まで押し上げる。エンプティ検出センサー２０４は、手差しトレー１０１上の用紙の有無を検出する。重送防止部材２０５は、複数の用紙が同時に給紙ローラーによって搬送されることを防止するためのものである。
【００３４】
＜Ｃ．ＦＤ検出センサー２０１の構成＞
図３は、本実施の形態に従う画像形成装置１００のＦＤ検出センサー２０１の一構成例を示す図である。図３を参照して、ＦＤ検出センサー２０１は、透過型センサー３０１と、遮光パーツ３０２とを備える。また、ＦＤ検出センサー２０１は、手差しトレー１０１の内部に設けられている。
【００３５】
用紙が手差しトレー１０１に載置されていない場合には、ねじりコイルばねは、遮光パーツ３０２の突起部分を穴３０３から手差しトレー１０１の上側に持ち上げている。この状態では、遮光パーツ３０２が透過型センサー３０１の光を遮るので、ＦＤ検出センサー２０１への入力はＯＦＦになる。
【００３６】
他方、手差しトレー１０１に用紙が載置されている場合には、用紙の重みで遮光パーツ３０２の突起部分が沈み込む。それにより、遮光パーツ３０２の透過型センサー３０１の光をさえぎっていた部分が持ち上がるため、ＦＤ検出センサー２０１への入力はＯＮになる。
【００３７】
なお、ＦＤ検出センサー２０１の構成は、図３の内容に限られるものではなく、透過型センサー以外でも用紙が載置されたことを検出できるものであればよい。また、手差しトレー１０１に用紙が載置されてない場合に、ＦＤ検出センサー２０１の入力がＯＮになり、手差しトレー１０１に用紙が載置されている場合に、ＦＤ検出センサー２０１の入力がＯＦＦなるようにしてもよい。
【００３８】
＜Ｄ．用紙の搬送制御＞
図４は、用紙の各搬送段階における各センサーおよび各ローラーの動作を示した図である。以下、図５〜図１０を参照して、図４の各搬送段階における画像形成装置１００の各部の動作について説明する。なお、制御部１１０が、各種センサーの入力読込と、各種ローラーの回転制御を行う。
【００３９】
図５は、画像形成装置１００の手差しトレー１０１および手差しトレー１０１の周辺部品の配置例を示した図であり、また、手差しトレー１０１からの連続給紙における図４の段階Ａにおける用紙の搬送状況を示す図である。レジストローラー１０４は、給紙ローラー１０３によって搬送された用紙を、転写ローラー１０７に向けて搬送する。また、用紙５０１、用紙５０２および用紙５０３は、それぞれ画像形成装置１００の内部または手差しトレー１０１の上に位置している。
【００４０】
図４の段階Ａの１次搬送開始４０１の位置において、レジストローラー１０４は、用紙５０１を搬送している。また、用紙５０２の先端は、給紙ローラー１０３の位置にある。この状態では、制御部１１０は、エンプティ検出センサー２０４からの入力を基に手差しトレー１０１に用紙が有ると判定する。また、ＦＤ検出センサー２０１は、用紙の重みで押し下げられており、制御部１１０は、ＦＤ検出センサー２０１の入力を基に手差しトレー１０１の搬送可能な位置に用紙が有ると判定する。
【００４１】
制御部１１０は、給紙ローラー１０３の回転を開始させて、用紙５０２を搬送する。制御部１１０は、用紙５０２の先端がレジストローラー１０４の位置に達するまで用紙５０２を搬送した後に給紙ローラー１０３の回転を停止させる。
【００４２】
図６は、図４の段階Ｂにおける用紙の搬送状況を示す図である。図４の段階Ｂにおいて、制御部１１０は、用紙５０２の先端がレジストローラー１０４に到達する前に、レジストローラー１０４による用紙５０１の搬送を終える。次に、制御部１１０は、レジストローラー１０４の回転を停止させ、その少し後に、給紙ローラー１０３の回転を停止させる。こうすることにより、用紙５０２の先端が、レジストローラー１０４の位置に到達しても、レジストローラー１０４は用紙５０２をすぐには搬送しないため、用紙５０１と用紙５０２との間に適切な間隔が設けられる。本実施の形態において、適切な間隔とは、例えば、１つのローラーで２枚の用紙を同時に搬送しない程度の間隔である。段階ＡからＢまでのように、給紙ローラー１０３が、手差しトレー１０１に載置された用紙の先端をレジストローラー１０４の位置まで搬送することを、後述する２次搬送と区別するために１次搬送と呼ぶ。
【００４３】
図７は、図４の段階Ｃにおける用紙の搬送状況を示す図である。図４の段階Ｃの２次搬送開始４０２の位置において、制御部１１０は、給紙ローラー１０３およびレジストローラー１０４の両方の回転を開始させる。こうすることにより、用紙５０２の先端は、レジストローラー１０４の位置よりもさらに先に搬送される。給紙ローラー１０３が用紙５０２を搬送し終わると、制御部１１０は、給紙ローラー１０３の回転を停止させる。給紙ローラー１０３の回転停止後も、制御部１１０は、次の１次搬送開始のためにレジストローラー１０４を回転させ続ける。段階Ｃのように、レジストローラー１０４が、用紙の先端をレジストローラー１０４よりさらに先に搬送することを２次搬送と呼ぶ。
【００４４】
図８は、図４の段階Ｄにおける用紙の搬送状況を示す図である。図４の段階Ｄの１次搬送開始４０３の位置において、制御部１１０は、給紙ローラー１０３を回転させて、手差しトレー１０１上の最後の１枚である用紙５０３を搬送する。用紙５０３が搬送されることにより、ＦＤ検出センサー２０１の突起部分が持ち上がる。ＦＤ検出センサー２０１の突起部分が持ち上がり、ＦＤ検出センサー２０１の入力がＯＦＦになると、制御部１１０は、ＦＤ検出センサー２０１の入力を基に、手差しトレー１０１の搬送可能な位置に用紙が無いと判定する。より正確には、制御部１１０は、現在搬送中の用紙５０３の後続の用紙が存在せず、用紙５０３が最終用紙であると判定する。
【００４５】
図９は、図４の段階Ｅにおける用紙の搬送状況を示す図である。制御部１１０は、図４の段階Ｅにおいて、段階Ｂと同様に、用紙５０３の先端がレジストローラー１０４に到達する前に、レジストローラー１０４による用紙５０１の搬送を終える。その後に、制御部１１０は、レジストローラー１０４の回転を停止させ、その少し後に、給紙ローラー１０３の回転を停止させる。
【００４６】
図１０は、図４の段階Ｆにおける用紙の搬送状況を示す図である。制御部１１０は、図４の２次搬送開始４０４の位置において、給紙ローラー１０３およびレジストローラー１０４の両方の回転を開始させる。こうすることにより、制御部１１０は、給紙ローラー１０３およびレジストローラー１０４により、用紙５０３の先端をレジストローラー１０４の位置よりもさらに先に搬送する。給紙ローラー１０３が用紙５０２を搬送し終わると、制御部１１０は、給紙ローラー１０３の回転を停止させる。制御部１１０は、レジストローラー１０４を次の１次搬送開始のために回転させ続ける。
【００４７】
本来であれば、制御部１１０は、１次搬送遅延制御４０５の位置で、給紙ローラー１０３の回転を開始させる。ただし、１次搬送遅延制御４０５の位置より前に、制御部１１０が、エンプティ検出センサー２０４の入力に基づいて用紙が無いと判定した場合、制御部１１０は、給紙ローラー１０３の回転を開始せずに搬送処理を停止する。
【００４８】
しかし、搬送される用紙の間隔は非常に短いことがあり、エンプティ検出センサー２０４による検出が遅れることがある。その場合、制御部１１０は、搬送処理を停止せずに、給紙ローラー１０３の回転を開始させる。その場合、搬送されるはずの用紙は手差しトレー１０１上に存在しないため、一定時間を過ぎても、用紙はレジストローラー１０４の位置に搬送されてこないことになる。
【００４９】
給紙ローラー１０３の回転が始まってから一定時間過ぎても、用紙の先端がレジストローラー１０４の位置に搬送されてこない場合は、制御部１１０は、紙詰まりが発生したと誤判定し、画像形成装置１００液晶モニターなどに、紙詰まりが発生したことを知らせる情報を表示する。
【００５０】
このエンプティ検出センサー２０４の検出遅れによる誤判定を防止するために、本実施の形態においては、制御部１１０は、ＦＤ検出センサー２０１により後続の用紙が無いと判断した場合には、図４の位置Ｘのように、一定時間（例えば、エンプティ検出センサー２０４の検出処理が完了するのに十分な時間）、給紙ローラー１０３の回転開始を遅延させる。こうすることで、制御部１１０が給紙ローラー１０３の回転を開始させる前に、エンプティ検出センサー２０４は用紙の有無の検出を完了することができる。その結果、制御部１１０は、紙詰まりの判定の前に、エンプティ検出センサー２０４の入力に基づく用紙切れの判定を完了することができ、用紙切れを紙詰まりであると誤判定することをなくすことができる。なお、制御部１１０は、ＦＤ検出センサー２０１および用紙幅検出センサー２０２によって判別した各用紙サイズに合わせて遅延時間を変化させてもよい。また、ＦＤ検出センサー２０１および用紙幅検出センサー２０２によりサイズが自動判別できない用紙については、制御部１１０は、使用者の操作ボタンやタッチパネルの操作内容に従い、用紙サイズを判定して遅延時間を設定してもよい。
【００５１】
＜Ｅ．搬送遅延制御のフローチャート＞
図１１は、本実施の形態に従う搬送遅延制御を示すフローチャートである。図１１を参照して、用紙切れと紙詰まりの誤判定を防止するための搬送遅延制御の流れの一例を説明する。
【００５２】
ステップＳ１１０５において、制御部１１０は、給紙開始信号を検出すると（ステップＳ１１０５においてＹＥＳ）、ステップＳ１１１０に制御を移す。給紙開始信号は、例えば、使用者が画像形成装置１００の操作ボタンやタッチパネルを操作することにより発生する。制御部１１０は、給紙開始信号を検出しない場合（ステップＳ１１０５においてＮＯ）、ステップＳ１１０５を繰り返して給紙開始信号を待ち続ける。または、制御部１１０は、給紙開始信号を待ち続ける代わりに処理を終了してもよい。
【００５３】
ステップＳ１１１０において、制御部１１０は、エンプティ検出センサー２０４の入力に基づき、手差しトレー１０１に用紙が載置されているか否かを判定する。制御部１１０は、エンプティ検出センサー２０４による用紙無しの検知がなく、手差しトレー１０１に用紙が載置されていると判定した場合は（ステップＳ１１１０においてＮＯ）、ステップＳ１１１５に制御を移す。制御部１１０は、エンプティ検出センサー２０４による用紙無しの検知が発生し、手差しトレー１０１に用紙が載置されていないと判定した場合は（ステップＳ１１１０においてＹＥＳ）、ステップＳ１１４０に制御を移す。
【００５４】
ステップＳ１１１５において、制御部１１０は、１次搬送制御のために、給紙ローラー１０３の回転を開始させる。制御部１１０は、搬送される用紙の先端がレジストローラー１０４の位置に到達したら、給紙ローラー１０３の回転を停止させる。
【００５５】
ステップＳ１１２０において、制御部１１０は、ＦＤ検出センサー２０１の入力に基づき、用紙が手差しトレー１０１の搬送可能な位置にあるか否かを判定する。判定は、ＦＤ検出センサー２０１の入力とエンプティ検出センサー２０４の入力とに基づいて行われてもよい。なお、制御部１１０は、ステップＳ１１１５の処理が完了するのを待たずに、ステップＳ１１２０の処理を実行してもよい。用紙の重みでＦＤ検出センサー２０１の突起部分が押し下げられたままの場合は、ＦＤ検出センサー２０１の信号に変化は発生しないため、制御部１１０は、用紙が搬送可能な位置にあると判定する。他方、最終用紙が搬送され、ＦＤ検出センサー２０１の突起部分が持ち上がった場合は、ＦＤ検出センサー２０１の信号に変化が発生するため、制御部１１０は、後続の用紙が搬送可能な位置にないと判定する。制御部１１０は、用紙が手差しトレー１０１の搬送可能な位置にあると判定すると（ステップＳ１１２０においてＮＯ）、ステップＳ１１３０に制御を移す。制御部１１０は、用紙が手差しトレー１０１の搬送可能な位置にないと判定すると（ステップＳ１１２０においてＹＥＳ）、ステップＳ１１２５に制御を移す。
【００５６】
ステップＳ１１３０において、制御部１１０は、２次搬送のため、給紙ローラー１０３と、レジストローラー１０４とを回転させ、ステップＳ１１１５において搬送した用紙を転写ローラー１０７に向けて搬送する。
【００５７】
ステップＳ１１２５において、制御部１１０は、プログラム上でフラグを立てる等の１次搬送の開始時間の遅延設定を行った後に、ステップＳ１１３０に制御を移す。本実施の形態において遅延設定とは、１次搬送の開始時間を本来の時間より遅らせる設定のことをいう。例えば、制御部１１０は、２次搬送後にエンプティ検出センサー２０４による検出処理が完了するのに十分な時間だけ、次回の１次搬送の開始時間を遅延させる。ステップＳ１１３５において、制御部１１０は、１次搬送の開始時間の遅延設定が行われている場合のみ、１次搬送の遅延処理を行う。制御部１１０が１次搬送の遅延処理を行った場合、次回の１次搬送の開始タイミングが、通常より遅くなるため、２次搬送後にエンプティ検出センサー２０４による検出処理の遅れが発生しても、１次搬送が先に開始されることはない。
【００５８】
ステップＳ１１１５から１１３５までの処理で用紙の１次搬送と２次搬送とが完了する。その後は、指定された枚数の用紙の搬送が完了するまで、制御部１１０は、ステップＳ１１１０から処理を繰り返す。
【００５９】
ステップＳ１１４０において、制御部１１０は、画像形成装置１００の操作ボタンによる入力等に基づいて、指定された枚数の用紙の搬送処理が完了したかを判定する。制御部１１０は、指定された枚数の用紙の搬送処理が完了していると判定した場合は（ステップＳ１１４０においてＹＥＳ）、処理を終了する。制御部１１０は、指定された枚数の用紙の搬送処理が完了していないと判定した場合は（ステップＳ１１４０においてＮＯ）、ステップＳ１１４５に制御を移す。
【００６０】
ステップＳ１１４５において、制御部１１０は、用紙が切れたことを知らせる情報を画像形成装置１００の液晶画面等に表示する。ステップＳ１１５０において、制御部１１０は、給紙動作を一時停止する。ステップＳ１１５５において、制御部１１０は、用紙が補充されるまで待機する。制御部１１０は、エンプティ検出センサー２０４およびＦＤ検出センサー２０１により、用紙が新しく載置されたことを検出すると、ステップＳ１１０５に制御を移す。
【００６１】
以上詳述したように、本実施の形態に従う画像形成装置１００は、手差しトレー等の給紙機構においても、用紙切れを紙詰まりと誤検出することを防止し、使用者に対して正しい情報を表示することができ、利便性を高めることができる。
【００６２】
［第２の実施の形態］
以下、第２の実施の形態について説明する。なお、本実施の形態に係る画像形成装置１００のハードウェアは、第１の実施の形態に係る画像形成装置１００のハードウェア構成と同じである。したがって、当該ハードウェア構成の説明は繰り返さない。
【００６３】
図１２は、本実施の形態に従う紙詰まりと用紙切れの誤判断を防止する処理を示すフローチャートである。図１２を参照して、用紙切れと紙詰まりの誤判定を防止するための処理の流れを説明する。なお、図１１のフローチャートに示される処理と同じ処理には同一の符号が付してある。したがって、同じ処理の説明は繰り返さない。
【００６４】
ステップＳ１２０５において、制御部１１０は、ＦＤ検出センサー２０１の入力が変化したことを検知すると（ステップＳ１２０５において、ＹＥＳ）、制御部１１０は、ステップＳ１１４０に制御を移す。本実施の形態によれば、ＦＤ検出センサー２０１の入力が変化した場合において、制御部１１０は１次給紙の遅延処理設定を行わずに用紙切れ判定の処理を行う点で、実施例１とは異なる。
【００６５】
本実施の形態によれば、制御部１１０は、１次給紙が開始した後にＦＤ検出センサー２０１の入力が変化した場合において、用紙がなくなったと判定している。ＦＤ検出センサー２０１は、規格に従った用紙の搬送方向の長さに合せた位置に配置されており、最後の用紙の１次搬送が始まると、用紙によって押し下げられていた突起部分が直ぐに持ち上がり、入力値が変化する。そのため、制御部１１０は、エンプティ検出センサー２０４の代わりにＦＤ検出センサー２０１を使用し、ＦＤ検出センサー２０１の入力が変化した時点で用紙がなくなっていると判定すれば、より簡単に紙詰まりと用紙切れの誤判断を防止することができる。
【００６６】
ただし、本実施の形態が適用できるのは、Ａ４等の規格に従ったサイズの用紙に対してであり、はがきサイズや規格に従わないサイズの用紙については、第１の実施の形態を使用する方が望ましい。
【００６７】
なお、別の局面において、第１の実施の形態と第２の実施の形態を組み合わせて使用し、Ａ４等の規格に従ったサイズの用紙にのみ第２の実施の形態に従う処理を行い、それ以外の用紙については第１の実施の形態に従う処理を適用してもよい。
【００６８】
今回開示された実施の形態は全ての点で例示であって制限的なものではないと考えられるべきである。本発明の範囲は上記した説明ではなくて特許請求の範囲によって示され、特許請求の範囲と均等の意味および範囲内で全ての変更が含まれることが意図される。
【符号の説明】
【００６９】
１００  画像形成装置、１０１  手差しトレー、１０２  給紙カセット、１０３  給紙ローラー、１０４  レジストローラー、１０５  イメージングユニット、１０６  中間転写ベルト、１０７  転写ローラー、１０８  定着部、１０９  排出トレー、１１０  制御部、２０１  ＦＤ検出センサー、２０２  用紙幅検出センサー、２０３  押上げ板、２０４  エンプティ検出センサー、２０５  重送防止部材、３０１  透過型センサー、３０２  遮光パーツ、３０３  穴、４０２，４０４  ２次搬送開始、４０５  次搬送遅延制御、５０１，５０２，５０３  用紙。
【図１】
2020033131.tif 000003
【図２】
2020033131.tif 000004
【図３】
2020033131.tif 000005
【図４】
2020033131.tif 000006
【図５】
2020033131.tif 000007
【図６】
2020033131.tif 000008
【図７】
2020033131.tif 000009
【図８】
2020033131.tif 000010
【図９】
2020033131.tif 000011
【図１０】
2020033131.tif 000012
【図１１】
2020033131.tif 000013
【図１２】
2020033131.tif 000014